(57)【要約】【課題】従来のものでは照明器具とは別体である外部スイッチに抵抗素子を並設に接続しなければならない。そのため、停電時に点灯する機能を有さない従来の照明器具と交換する場合には照明器具のほかに外部スイッチも交換する必要がある。また、新たに照明器具を設置する場合には専用の外部スイッチも併せて手配しなければならない。【解決手段】１対の電灯線のほかに、外部スイッチの上流側から１本の導線を引き込み、外部スイッチを介すること無く直接商用電源の状態を検知する商用電源検知手段と、上記１対の電灯線間の電圧を検知する照明スイッチ検知手段とを設け、商用電源検知手段が電力供給停止を検知し、かつ照明スイッチ検知手段がスイッチのオフを検知した場合に、外部スイッチがオン状態での停電発生と判断するようにした。【選択図】  図４
2014220063.tif 000002
【特許請求の範囲】
【請求項１】
外部の商用電源から電力の供給を受けて点灯する照明器具であって、商用電源から電力が供給される１対の電灯線の一方に直列に介設された外部スイッチのオンオフによって点消灯すると共に、内部に蓄電部を備え、停電等により外部スイッチがオン状態であるにもかかわらず商用電源からの電力の供給が停止した際に、蓄電部に蓄電された電力によって点灯させるものにおいて、上記１対の電灯線のほかに、外部スイッチの上流側から１本の導線を引き込み、外部スイッチを介すること無く直接商用電源の状態を検知する商用電源検知手段と、上記１対の電灯線間の電圧を検知する照明スイッチ検知手段とを設け、商用電源検知手段が電力供給停止を検知し、かつ照明スイッチ検知手段がスイッチのオフを検知した場合に、外部スイッチがオン状態での停電発生と判断して、上記蓄電部に蓄電された電力で点灯を継続することを特徴とする照明器具。
【発明の詳細な説明】
【技術分野】
【０００１】
本発明は、点灯状態時に停電により外部の商用電源からの電力供給が停止した際に、内部の蓄電部の電力によって点灯を継続する照明器具に関する。
【背景技術】
【０００２】
上記従来の照明器具では、内部に蓄電部を備え、通常時には外部の商用電源から供給される電力で点灯すると共に、その電力を蓄電部に蓄電しておき、停電発生時には蓄電部に蓄電された電力によって点灯を継続するように構成されている（例えば、特許文献１参照）。
【０００３】
なお、この種の照明器具は照明器具の設置場所から離れた壁などに外部スイッチを設け、この外部スイッチを介して電力が供給されるように構成されており、外部スイッチがオフ状態では照明器具に電力が供給されないので消灯状態となり、外部スイッチがオン状態になると商用電源から電力が照明器具に供給され点灯するように構成されている。従って、照明器具側では外部スイッチがオフ状態になったために電力の供給が停止したのか、停電になったために電力が供給されなくなったのかを判別する必要が生じる。
【０００４】
そこで、上記従来の照明器具では外部スイッチに対して高抵抗値の抵抗素子を並列に接続し、その抵抗素子の両端電圧から停電が発生したのか外部スイッチがオフ状態になったのかを識別するように構成されている。
【先行技術文献】
【特許文献】
【０００５】
【特許文献１】特開２０１２−２８２９２号公報（段落００１８、００２３、００２４）
【発明の概要】
【発明が解決しようとする課題】
【０００６】
上記従来のものでは、照明器具とは別体である外部スイッチに抵抗素子を並設に接続しなければならない。そのため、停電時に点灯する機能を有さない従来の照明器具と交換する場合には、照明器具のほかに外部スイッチも交換する必要がある。また、新たに照明器具を設置する場合には、専用の外部スイッチも併せて手配しなければならないという不具合が生じる。
【０００７】
そこで本発明は、上記の問題点に鑑み、外部スイッチは従来のままの構造でよい照明器具を提供することを課題とする。
【課題を解決するための手段】
【０００８】
上記課題を解決するために本発明による照明器具は、外部の商用電源から電力の供給を受けて点灯する照明器具であって、商用電源から電力が供給される１対の電灯線の一方に直列に介設された外部スイッチのオンオフによって点消灯すると共に、内部に蓄電部を備え、停電等により外部スイッチがオン状態であるにもかかわらず商用電源からの電力の供給が停止した際に、蓄電部に蓄電された電力によって点灯させるものにおいて、上記１対の電灯線のほかに、外部スイッチの上流側から１本の導線を引き込み、外部スイッチを介すること無く直接商用電源の状態を検知する商用電源検知手段と、上記１対の電灯線間の電圧を検知する照明スイッチ検知手段とを設け、商用電源検知手段が電力供給停止を検知し、かつ照明スイッチ検知手段がスイッチのオフを検知した場合に、外部スイッチがオン状態での停電発生と判断して、上記蓄電部に蓄電された電力で点灯を継続することを特徴とする。
【発明の効果】
【０００９】
以上の説明から明らかなように、本発明は、外部スイッチは通常のものでよく、１本の導線を追加するだけで停電時に点灯する照明器具を設置することができる。
【図面の簡単な説明】
【００１０】
【図１】天井に埋設された照明器具の状態を示す図
【図２】照明器具全体の形状を示す斜視図
【図３】照明器具の分解斜視図
【図４】照明器具内部の電気回路の構成を示すブロック図
【発明を実施するための形態】
【００１１】
図１を参照して、１は本発明による照明器具（以下、器具という）である。この器具１は浴室の天井ＣＬに埋設されており、浴室内に臨む照明板２には複数のＬＥＤ（発光ダイオード）が取り付けられている。そして、各ＬＥＤから発せられる光によって浴室内を照明する。
【００１２】
図２を参照して、器具１の本体ケース１１の上面には端子板１２が取り付けられており、この端子板１２に外部の商用電源からの電力を供給する電灯線１３が接続されている。
【００１３】
図３を参照して、端子板１２の下方であって本体ケース１１内には電源部３が収納されている。この電源部３は外部の商用電源から供給される１００ボルトの電力を降圧してＬＥＤに供給すると共に、ＬＥＤの点灯を制御するマイコンを備えており、かつそのマイコンを駆動するための電力も生成している。
【００１４】
外部の照明スイッチがオンにされると電灯線１３を介して外部の商用電源から電力が供給され、照明板２の下面に実装されているＬＥＤが点灯する。この照明スイッチがオンになっている状態で停電などにより外部からの電力の供給が停止した場合、ＬＥＤが消灯すると、特に夜間での入浴中であれば浴室から脱衣室に出て着衣することが困難になる。
【００１５】
そこで、本発明では器具１内に蓄電部を設け、停電等が生じた場合には蓄電部が蓄電している電力で所定時間点灯を継続するようにした。本実施の形態では、蓄電部として電気二重層コンデンサを用いたものを説明する。
【００１６】
図４は通常の通電時に電気二重層コンデンサ４に蓄電された電力によって停電時等にＬＥＤ８を点灯させる非常時の回路を示している。
【００１７】
１００は外部の商用電源であり、１０１は脱衣室の壁に取り付けられた照明スイッチである外部スイッチである。そして、この外部スイッチ１０１の上流側の位置、すなわち、外部電源１００と外部スイッチ１０１との間の位置から１本の導線１４を器具１内部に引き込み、商用電源検知回路１０２に接続した。また、外部スイッチ１０１のオンオフを検知するための外部スイッチ検知回路１０３も内蔵されている。そして、商用電源検知回路１０２及び外部スイッチ検知回路１０３の出力信号は共にマイコン５に入力されるように構成されている。
【００１８】
マイコン５は、ＬＥＤが点灯状態、すなわち、外部スイッチ検知回路１０３が外部スイッチ１０１がオン状態である信号を出力している間は全ＬＥＤ８を通常の明るさで点灯させている。なお、ＬＥＤ８の点灯用電力は外部電源１００からの電力を変圧部１０４で降圧して生成されている。変圧部１０４から出力される電力はＬＥＤ８の点灯に用いられるが、その他として後述するようにマイコン５の作動電力となると共に、電気二重層コンデンサ４に充電される。
【００１９】
このようにＬＥＤ８が点灯状態で停電が生じると、外部スイッチ検知回路１０３は外部スイッチ１０１がオフになった場合と同じ信号をマイコン５に出力する。ただし、停電が生じていなければ、商用電源検知回路１０２からは停電の旨の信号は出力されないが、停電によって外部スイッチ１０３から外部スイッチ１０１のオフ信号が出力されたのとほぼ同時に商用電源検知回路１０２からも停電発生の信号が出力される。
【００２０】
マイコン５はこれら２個の信号がほぼ同時に出力されたことを検知すると、停電発生であり、かつ点灯継続の必要ありと判断して、電気二重層コンデンサ４に蓄電されている電力でＬＥＤ８の点灯を継続する制御を行う。
【００２１】
図示のように、複数のＬＥＤ８が直列に接続されているので、ＬＥＤ８の直列回路の両端にはＬＥＤ１個の点灯電圧を個数倍した電圧を印加する必要がある。そこで、電気二重層コンデンサ４の電圧を昇圧コンバータ６で昇圧してＬＥＤ８に供給するようにした。そして、昇圧コンバータ６で昇圧された高電圧から降圧コンバータ７によってマイコン５の作動電力を生成するようにした。このように昇圧コンバータ６で一旦電圧を上げた後、その電圧を降圧コンバータ７で降圧することによって、電気二重層コンデンサ４の蓄電する電荷がほとんどゼロになるまでマイコン５を作動させ続けることができる。
【００２２】
マイコン５は電圧検知回路４１によって電気二重層コンデンサ４の電圧を常時監視している。蓄電されている電力が徐々に減少していくと電気二重層コンデンサ４の両端電圧が低下するので、マイコン５は電気二重層コンデンサ４に蓄電されている電力の残量をモニタすることができる。
【００２３】
電気二重層コンデンサ４の蓄電量が十分にある状態では全てのＬＥＤ８を点灯させるが、外部電力によって点灯させる場合より照度を落として電気二重層コンデンサ４の蓄電量の減少速度を抑えるようにした。具体的には、外部電源からの電力で発光させる場合にはＬＥＤ８の電流が３００ｍＡであるとすると、停電時等には５０ｍＡまで減少させるようにした。この電流の減少はＬＥＤ８に直列に接続されているトランジスタ５１によって行うもので、トランジスタ５１の動作はマイコン５によって制御される。
【００２４】
電気二重コンデンサ４の蓄電量が減少してくると全てのＬＥＤ８を点灯させ続けられない状態になる。そのまま放置すると全ＬＥＤ８が同時に消灯するので、電気二重層コンデンサ４の両端電圧が予め設定されている第１基準電圧まで低下すると、マイコン５はトランジスタ９１をオンにすることにより一部(本実施の形態では２個)のＬＥＤ８を短絡させ消灯し、残りのＬＥＤ８を点灯させることにより消費電力を抑制するようにした。
【００２５】
その状態でさらに電気二重層コンデンサ４の両端電圧が第２基準電圧まで低下すると、トランジスタ９２をオンにすることにより消灯するＬＥＤ８を増やし、すなわち点灯するＬＥＤ８の個数を減らして消費電力をさらに削減することとした。そしてさらに両端電圧が第３基準電圧まで低下すると、トランジスタ９３をＯＮにさせて最終的に１個のＬＥＤ８のみを点灯させるようにした。
【００２６】
このように、停電のように外部からの電力供給が停止した場合、ＬＥＤ８の電流を抑制すると共に、段階的に点灯するＬＥＤ８の個数を減少させることによって、たとえ少しの照度であっても長時間ＬＥＤ８が点灯し続けられるようにした。
【００２７】
なお、上記実施の形態では、器具１を浴室に取り付けた場合について説明したが、設置場所は浴室に限定させるものではなく、例えばビルの廊下等、他所に設置してもよいことは明白である。
【００２８】
ところで、上記の実施の形態では発光素子としてＬＥＤを用いたものについて説明したが、本発明は蛍光灯や白熱電球を発光体とする種々の照明器具にも応用することができ、また蓄電部として電気二重層コンデンサを用いたが、２次電池などの充電式電池を用いてもかまわない。
【００２９】
このように、本発明は上記した形態に限定されるものではなく、本発明の要旨を逸脱しない範囲内において種々の変更を加えてもかまわない。
【符号の説明】
【００３０】
１  照明器具
２  照明板
３  電源部
４  電気二重層コンデンサ
８  ＬＥＤ
【図１】
2014220063.tif 000003
【図２】
2014220063.tif 000004
【図３】
2014220063.tif 000005
【図４】
2014220063.tif 000006